(57)【要約】【課題】受動型光加入者網において伝送される光信号の波長変化の監視が容易であり、受動型光加入者網の初期の伝送状態を維持できる監視手段を含む受動型光加入者網を提供する。【解決手段】波長分割多重方式の受動型光加入者網１００であって、多重化された下り光信号と監視光とを生成して出力し、上り光信号を検出し、フィードバックされた監視光に基づいて下り光信号及び上り光信号の波長変化を監視するための監視手段１２０を含む中央基地局１１０と、対応する下り光信号を検出し、各々の上り光信号を生成するための複数の加入者装置２１０と、監視光を中央基地局１１０に反射させ、多重化された下り光信号を逆多重化して対応する加入者装置２１０に出力し、上り光信号を多重化して中央基地局１１０に出力するための地域基地局２００と、地域基地局２００と中央基地局１１０とをリンクするための第１光伝送路１０１と、地域基地局２００と複数の加入者装置２１０の各々をリンクするための複数の第２光伝送路１０２とを備える。【選択図】図１
2006166446.tif 000002
【特許請求の範囲】
【請求項１】
波長分割多重方式の受動型光加入者網にであって、
多重化された下り光信号と監視光とを生成して出力し、上り光信号を検出するとともに、フィードバックされた監視光に基づいて、前記下り光信号前記上り光信号の波長変化を監視するための監視手段を備える中央基地局と、
対応する下り光信号を検出し、前記上り光信号を生成するための複数の加入者装置と、
前記監視光を前記中央基地局に反射し、多重化された前記下り光信号を逆多重化して対応する加入者装置に出力し、前記上り光信号を多重化して前記中央基地局に出力するための地域基地局と、
前記地域基地局と前記中央基地局とをリンクするための第１光伝送路と、
前記地域基地局と複数の前記各加入者装置とをリンクするための複数の第２光伝送路とを含むことを特徴とする波長分割多重方式の受動型光加入者網。
【請求項２】
前記中央基地局は、
広波長帯域の下り光を生成するための下り広帯域光源と、
前記下り光とは異なる波長帯域の上り光を生成するための上り広帯域光源と、
前記下り光により波長ロックされた各々異なる波長を有する下り光信号を生成するための複数の下り光源と、
前記上り光信号を検出するための複数の上り光検出器と、
前記下り光信号を多重化して出力し、多重化された前記上り光信号を逆多重化して対応する前記上り光検出器に出力し、前記下り光を複数の下りチャンネルに分割して対応する前記下り光源に出力するための第１多重化／逆多重化器と、
前記下り光源と前記第１多重化／逆多重化器との間に位置し、前記下り光の中の既設定の波長を有する監視光のみを選択的に反射させるための第１波長選択反射フィルターと、
前記地域基地局で反射された監視光の波長変化をモニタリングして、前記下り光信号及び上り光信号の波長変化を検出し、当該検出結果に応じて、前記第１多重化／逆多重化器を制御するための監視手段とを含むことを特徴とする請求項１に記載の波長分割多重方式の受動型光加入者網。
【請求項３】
前記中央基地局は、
前記第１光伝送路上に位置し、前記下り光源及び上り光源と前記下り広帯域光源とに連結し、前記下り光を前記第１多重化／逆多重化器に出力し、前記上り光を前記地域基地局に出力するための第１光分配器と、
前記第１光分配器と前記地域基地局との間に位置し、前記上り光及び多重化された前記下り光信号を前記地域基地局に出力し、前記地域基地局で反射された前記監視光を前記監視手段に出力するための第２光分配器と、
対応する下り光源と対応する上り光検出器とを前記第１多重化／逆多重化器に連結するための複数の第１波長選択結合器とをさらに含むことを特徴とする請求項２に記載の波長分割多重方式の受動型光加入者網。
【請求項４】
前記監視手段は、
前記第２光分配器から入力された前記監視光と多重化された上り光信号とを、各々の経路に応じて分離して出力する波長分割多重化器と、
前記波長分割多重化器から入力された前記監視光を第１電気信号に変換するための第１光受信器と、
前記波長分割多重化器から入力された前記上り光信号を第２電気信号に変換するための第２光受信器と、
前記第１及び第２電気信号の受信状態及び強さの変化に基づいて、前記第１及び第２光伝送路の異常を判別し、前記異常の判別の結果に応じて、該異常についての補正をするための制御信号を生成する制御器と、
前記制御信号に基づいて前記第１多重化／逆多重化器を制御する第１波長制御器と、
前記制御信号に基づいて前記波長選択反射フィルターを制御する第２波長制御器とを含むことを特徴とする請求項２に記載の波長分割多重方式の受動型光加入者網。
【請求項５】
前記地域基地局は、
多重化された前記下り光信号と前記上り光とを逆多重化して対応する前記加入者装置に出力し、前記各加入者装置から入力された前記上り光信号を多重化して前記中央基地局に出力するための第２多重化／逆多重化器と、
前記第２多重化／逆多重化器と前記中央基地局との間に位置し、前記中央基地局から入力される前記監視光を前記中央基地局に反射させるための第２波長選択反射フィルターとを含むことを特徴とする請求項１に記載の波長分割多重方式の受動型光加入者網。
【請求項６】
前記各加入者装置は、
対応する下り光信号を検出するための下り光検出器と、
波長ロックされた上り光信号を生成するための上り光源と、
前記下り光検出器と前記上り光源とを対応する第２光線路に連結させるための第２波長選択結合器とを含むことを特徴とする請求項１に記載の波長分割多重方式の受動型光加入者網。
【請求項７】
前記中央基地局は、
広波長帯域を有する下り光を生成するための下り広帯域光源と、
前記下り光の波長帯域とは異なる波長帯域を有する上り光を生成するための上り広帯域光源と、
前記下り光により波長ロックされた各々異なる波長を有する下り光信号を生成するための複数の下り光源と、
前記上り光信号を検出するための複数の上り光検出器と、
前記下り光信号を多重化して出力し、多重化された前記上り光信号を逆多重化して対応する上り光検出器に出力し、前記下り光を複数の下りチャンネルに分割して対応する下り光源に出力するための第１多重化／逆多重化器と、
前記監視光を生成し、前記地域基地局で反射された前記監視光の波長変化をモニタリングして、前記下り光信号及び上り光信号の波長変化を監視し制御するための監視手段と、
前記上り光源と前記第１多重化／逆多重化器との間に位置し、前記監視光のみを選択的に反射させるための第１波長選択反射フィルターと、
前記第１光伝送路上に位置し、かつ前記下り光源及び上り光源と連結しており、前記下り光を前記第１波長選択反射フィルターに出力し、前記上り光を前記地域基地局に出力するための光分配器と、
前記上り光と多重化された光を前記地域基地局に出力し、多重化された前記上り光信号を前記第１多重化／逆多重化器に出力し、前記監視光を入出力させるための循環部とを含むことを特徴とする請求項１に記載の波長分割多重方式の受動型光加入者網。
【請求項８】
前記循環部は、
前記第１光伝送路上に互いに対向するように位置した少なくとも２つの波長分割多重化器と、
前記監視手段と前記波長分割多重化器とを連結しており、前記監視手段で生成された前記監視光を、対応する波長分割多重化器を通じて前記地域基地局に出力し、対応する波長分割多重化器を通じて入力された前記監視光と多重化された前記上り光信号の一部とを前記監視手段に出力するためのサーキュレータとを含むことを特徴とする請求項７に記載の波長分割多重方式の受動型光加入者網。
【請求項９】
前記監視手段は、
前記監視光を生成し、生成された前記監視光を前記循環部に出力するための自然放出光源と、
対応する波長分割多重化器から入力された前記監視光を電気信号に変換するための光受信器と、
前記電気信号の受信状態及び強さの変化に基づいて、前記第１及び第２光伝送路の異常を判別し、前記異常の判別の結果に応じて、該異常についての補正をするための制御信号を生成する制御器と、
前記制御器で生成された前記制御信号に応答して前記第１多重化／逆多重化器を制御するための第１波長制御器と、
前記制御器で生成された前記制御信号に応答して前記波長選択反射フィルターを制御するための第２波長制御器とを含むことを特徴とする請求項７に記載の波長分割多重方式の受動型光加入者網。
【請求項１０】
前記自然放出光源は、前記監視光の波長を含む広波長帯域の自然放出光を生成することを特徴とする請求項７に記載の波長分割多重方式の受動型光加入者網。
【請求項１１】
前記中央基地局は、対応する下り光源と対応する上り光検出器とを前記第１多重化／逆多重化器に連結するための複数の第１波長選択結合器をさらに含むことを特徴とする請求項７に記載の波長分割多重方式の受動型光加入者網。
【請求項１２】
前記地域基地局は、
前記上り光を多重化して、多重化された下り光信号を対応する加入者装置に出力するための第２多重化／逆多重化器と、
前記第２光伝送路上の前記第２多重化／逆多重化器と前記加入者装置との間に位置し、対応する波長を有する前記監視光を前記第２多重化／逆多重化器に反射させるための第２波長選択反射フィルターとを含むことを特徴とする請求項１に記載の波長分割多重方式の受動型光加入者網。
【発明の詳細な説明】
【技術分野】
【０００１】
本発明は、波長分割多重方式の受動型光加入者網に関し、特に、光信号の波長帯域が変化した場合に、光信号を補償（補正）する信号監視手段を含む受動型光加入者網に関する。
【背景技術】
【０００２】
波長分割多重方式は、各々の加入者装置に固有の波長を付与する（割り当てる）方式であって、受動型光加入者網（ＰＯＮ）等に適用可能である。
【０００３】
このような受動型光加入者網は、各々の加入者装置に提供するための複数の下り光信号を生成し、上り光信号を検出する中央基地局と、対応する波長の下り光信号を検出し、上り光信号を生成する複数の加入者装置と、中央基地局と加入者装置との間で中央基地局と加入者装置とを中継する地域基地局とを含んでいる。そして、受動型光加入者網は、一般的に、中央基地局と地域基地局とが単一の光伝送路（光線路）でリンクされ、地域基地局とに複数の加入者装置がリンクされた２重（２つの）スター型構造（double star-type structure）となっている。
【０００４】
さらに、受動型光加入者網は、多数の光学装置からなり、特に、中央基地局と地域基地局及び地域基地局及び加入者装置をリンクさせるための光線路は、シリカ材質の光ファイバーで構成されている。一般の光学装置は温度変化に応じて屈折率などが変化し、これは該光学装置を通して伝送される下り及び上り光信号の波長帯域を変化させる要因となる。
【０００５】
このような下り光信号及び上り光信号の波長帯域の変化は、これを受信する中央基地局や各加入者装置側での受信効率を低下させ、例えば、下り光信号及び上り光信号の波長帯域の変化は、下り光信号及び上り光信号の受信状態の検出が困難（下り光信号及び上り光信号の受信可否を検知できない）になり、システムの誤動作を誘発する要因となる。
【０００６】
上記問題に鑑みて、温度変化に応じた光信号の波長帯域の変化を監視し、これを補償（補正）するための方法または装置が種々提案されている。特許文献１（Ｔｅｍｐｅｒａｔｕｒｅ  ｃｏｍｐｅｎｓａｔｅｄ  ｍｕｌｔｉｃｈａｎｎｅｌ、ｗａｖｅｌｅｎｇｔｈ−ｄｉｖｉｓｉｏｎ−ｍｕｌｔｉｐｌｅｘｅｄ  ｐａｓｓｉｖｅ  ｏｐｔｉｃａｌ  ｎｅｔｗｏｒｋ；ドエル（Ｄｏｅｒｒ）等）では、波長分割多重化／逆多重化器に監視光のための別途のポートをさらに具備し、監視光を、光線路を介して送受信して、その監視光の強さの変化の程度に基づいて光信号の波長帯域を監視する。
【０００７】
しかしながら、従来の受動型光加入者網は、光信号の波長変化を監視するために、多重化／逆多重化器に別途のポートを具備しなければならない。これにより、受動型光加入者網の通信効率が低下し、且つ維持管理が困難となる。
【０００８】
【特許文献１】米国特許第６,３０４,３５０号
【発明の開示】
【発明が解決しようとする課題】
【０００９】
本発明は、このような従来の問題を解決するためになされたものであり、その目的は、受動型光加入者網において伝送される光信号の波長帯域の変化を容易に監視可能であり、かつ受動型光加入者網の初期の伝送状態を維持できる監視手段を備えた受動型光加入者網を提供することにある。
【課題を解決するための手段】
【００１０】
本発明の波長分割多重方式の受動型光加入者網は、多重化された下り光信号と監視光とを生成して出力し、上り光信号を検出し、フィードバックされた監視光に基づいて下り光信号及び上り光信号の波長変化を監視するための監視手段を含む中央基地局と、対応する下り光信号を検出し、各々の上り光信号を生成するための複数の加入者装置と、監視光を前記中央基地局に反射し、多重化された下り光信号を逆多重化して対応する加入者装置に出力し、上り光信号を多重化して中央基地局に出力するための地域基地局と、地域基地局と中央基地局とをリンクするための第１光伝送路（第１光線路）と、地域基地局と複数の加入者装置をリンクするための複数の第２光伝送路（第２光線路）とを含むことを特徴とする。
【発明の効果】
【００１１】
本発明によれば、従来のように、波長変化を監視するために、多重化／逆多重化器の一部のポートを監視光のポートとして具備しなくても、下り光信号及び上り光信号の波長帯域の変化を監視し、この波長帯域の変化に応じた波長補償動作（the operation for compensating wavelengths）を制御可能になる。
【発明を実施するための最良の形態】
【００１２】
以下、本発明の好適な実施形態について添付図面を参照しながら詳細に説明する。下記の説明において、本発明の要旨のみを明瞭にするために、公知の機能や構成についての詳細な説明は、適宜省略する。
【００１３】
（第１実施形態）
図１は本発明の第１実施形態におけるによる受動型光加入者網の構成を示す図である。図１に示すように、本実施形態の受動型光加入者網１００は、多重化された下り光信号を生成する中央基地局１１０と、波長ロックされた各々の上り光信号を生成するための複数の加入者装置２１０と、中央基地局１１０と加入者装置２１０との間に位置する地域基地局２００と、第１光伝送路１０１と、第２光伝送路１０２とを備えている。
【００１４】
第１光伝送路１０１は、中央基地局１１０と地域基地局２００とをリンクし、複数の第２光伝送路１０２は、複数の対応する加入者装置２１０と地域基地局２００とをリンクする。第１光伝送路１０１と第２光伝送路１０２は、光ファイバーなどが用いられる。
【００１５】
中央基地局１１０は、波長ロックされた各々の下り光信号を生成するための複数の下り光源（Ｔｘ１〜Ｔｘｎ）１１３と、多重化された上り光信号を逆多重化するための第１多重化／逆多重化器１１１と、逆多重化された対応する上り光信号を検出するための複数の上り光検出器（Ｒｘ１〜Ｒｘｎ）１１４と、上り広帯域光源及び下り広帯域光源１３１、１３２と、監視ユニット（監視手段）１２０と、第１及び第２光分配器１４１、１４２と、第１波長選択反射フィルター１１５とを備えている。
【００１６】
下り広帯域光源１３２は、各下り光源１１３に対して波長ロックさせるための広波長帯域を有する下り光を生成し、上り広帯域光源１３１は、各加入者装置２１０に対して波長ロックさせるための上り光を生成する。下り光及び上り光は、互いに異なる波長帯域を使用する。すなわち、下り及び上り光は、既設定の自由スペクトル領域（Ｆｒｅｅ  Ｓｐｅｃｔｒａｌ  ｒａｎｇｅ）で離隔された互いに波長帯域を有する。
【００１７】
第１波長選択反射フィルター１１５は、第１光伝送路１０１上に位置し、波長ロックされた光（監視光；λｍ）を地域基地局２００側に反射させる。一方、第１波長選択反射フィルター１１５は、下り光信号及び上り光信号（λｋ、λｋ´）を第１多重化／逆多重化器１１１に通過させる。また、第１多重化／逆多重化器１１１から出力される多重化された下り光信号（λｋ）は、第１波長選択反射フィルター１１５を通過し、第１光伝送路１０１を介して地域基地局２００に出力される。
【００１８】
第１光分配器１４１は、第１光伝送路１０１上に位置し、下り広帯域光源１３２と上り広帯域光源１３１の各々に連結しており、下り光を第１波長選択反射フィルター１１５に出力し、上り光を第１光伝送路１０１を介して地域基地局２００に出力する。
【００１９】
第１多重化／逆多重化器１１１は、下り光を各々の波長を有する複数の下りチャンネルに分割して対応する下り光源１１３に出力し、各下り光源１１３は、対応する下りチャンネルにより波長ロックされた下り光信号を生成して第１多重化／逆多重化器１１１に出力する。第１多重化／逆多重化器１１１は、各下り光源１１３からの下り光信号を多重化し、多重化された下り光信号を、第１光線路１０１を介して地域基地局２００に出力する。
【００２０】
また、第１多重化／逆多重化器１１１は、地域基地局２００で多重化された上り光信号を逆多重化して、対応する上り光検出器１１４に出力する。
【００２１】
第２光分配器１４２は、第１光分配器１４１と地域基地局２００との間に位置し、第１波長選択反射フィルター１１５で反射された監視光を地域基地局２００側に通過させ、地域基地局２００で反射された監視光を監視ユニット（監視手段）１２０に出力する。
【００２２】
監視ユニット１２０は、波長分割多重化器１２１と、第１光受信器１２６と、第２光受信器１２２と、制御器１２５と、第１及び第２波長制御器１２４、１２３と備えている。
【００２３】
波長分割多重化器１２１は、第２光分配器１４２から入力された監視光（フィードバックされた監視光）と多重化された上り光信号とを各々の経路に分離して、監視光を第１光受信器１２６に出力し、多重化された上り光信号を第２光受信器１２２に出力する。
【００２４】
第１光受信器１２６は、監視光を第１電気信号に変換して制御器１２５に出力する。第２光受信器１２２は、上り光信号を第２電気信号に変換して制御器１２５に出力する。
【００２５】
制御器１２５は、第１及び第２電気信号の受信可否（受信状態）及び強さの変化に基づいて第１及び第２光伝送路１０１、１０２の異常の有無を判別し、当該異常の有無の判別結果に応じて、当該異常を補償するための制御信号を生成する。また、制御器１２５は、第１及び第２電気信号の強さを既設定の基準値と比較して、その値の変化に基づいて監視光の波長帯域の変化を監視し、第１及び第２波長制御器１２４、１２３を制御するための制御信号を生成することができる。
【００２６】
第１波長制御器１２４は、上述した制御信号に基づいて第１多重化／逆多重化器１１１を制御し、第２波長制御器１２３は、制御信号に基づいて第１波長選択反射フィルター１１５を制御する。具体的には、この制御信号は、当該異常に対して波長を程度、どのよう方向へ移動させるべきかを含む情報（当該異常に対してどのような波長帯域を設定すべきかを含む情報）であり、例えば、第１波長制御器１２４が、制御器１２５からの制御信号に基づいて第１多重化／逆多重化器１１１の波長帯域を調節し、第２波長制御器１２３が、第１波長制御器１２４により変化した波長帯域に応じて、第１波長選択反射フィルター１１５によって反射させる波長を選択する制御を行う。
【００２７】
地域基地局２００は、第２波長選択反射フィルター２０１と、第２多重化／逆多重化器２０２とを備え、中央基地局１１０からの多重化された下り光信号を逆多重化して対応する加入者装置２１０に出力し、各加入者装置２１０から入力された上り光信号を多重化して中央基地局１１０に出力する。また、第２多重化／逆多重化器２０２は、上り光を各々の波長を有する複数の上りチャンネルに分割して対応する加入者装置２１０に出力する。
【００２８】
第２波長選択反射フィルター２０１は、第２光分配器１４２と第２多重化／逆多重化器２０２との間に配置されている。第２波長選択反射フィルター２０１は、中央基地局１１０から入力された多重化された下り光信号と上り光を透過して第２多重化／逆多重化器２０２に入力させ、第２多重化／逆多重化器２０２において多重化した上り光信号を中央基地局１１０側に透過させる。
【００２９】
一方、第２波長選択反射フィルター２０１は、監視光を中央基地局１１０に対して反射する。すなわち、第２波長選択反射フィルター２０１には、特定の波長帯域の光を透過し、他の波長帯域の光を反射する波長帯域透過フィルター（Ｂａｎｄｐａｓｓ  ｆｉｌｔｅｒ）などが用いられる。
【００３０】
各加入者装置２１０は、対応する下り光信号を検出するための下り光検出器（Ｒｘ１〜Ｒｘｎ）２１３と、地域基地局２００で逆多重化された上り光の波長の中の対応する波長により波長ロックされた上り光信号を生成するための上り光源（Ｔｘ１〜Ｔｘｎ）２１２と、地域基地局２００、下り光検出器２１３及び上り光源２１２の各々に連結する第２波長選択結合器２１１とを備えている。
【００３１】
下り光検出器２１３は、フォトダイオード（Ｐｈｏｔｏ  ｄｉｏｄｅ）などで構成することができ、上り光源２１２は、ファブリーペローレーザーダイオード（Ｆａｂｒｉ  Ｐｅｒｒｏｔ−Ｌｌａｓｅｒ  Ｄｉｏｄｅ）や半導体光増幅器（Ｓｅｍｉｃｏｎｄｕｃｔｏｒ  ｏｐｔｉｃａｌ  ａｍｐｌｉｆｉｅｒ）などで構成することができる。
【００３２】
第２波長選択結合器２１１は、多数のポート（ｐｏｒｔ）を備え、各々のポートを介して、地域基地局２００、下り光検出器２１３及び上り光源２１２の各々に連結している。第２波長選択結合器２１１は、対応する第２光伝送路１０２を介して入力された逆多重化された下り光信号を下り光検出器２１３に出力し、地域基地局２００で逆多重化された上り光の波長の中の対応する波長の上り光を上り光源２１２に出力する。上り光源２１２は、対応する波長の上り光により波長ロックされた上り光信号を生成して第２波長選択結合器２１１に出力し、第２波長選択結合器２１１は、波長ロックされた上り光信号を、第２光伝送路１０２を介して地域基地局２００に出力する。また、本実施形態の監視光は、下り広帯域光源から生成された下り光の波長ロックされた下り光信号の生成に使用されていない一部の波長が用いられる。
【００３３】
（第２実施形態）
図２は、本発明の第２実施形態における監視手段を含む受動型光加入者網の構成を示す図である。図２に示すように、本実施形態の受動型光加入者網３００は、多重化された下り光信号を生成する中央基地局３１０と、波長ロックされた各々の上り光信号を生成するための複数の加入者装置５１０と、中央基地局３１０と加入者装置５１０との間に位置する地域基地局４００と、第１光伝送路３０１と、第２光伝送路３０２とを備えている。
【００３４】
中央基地局３１０は、上り広帯域光源及び下り広帯域光源３１７、３１８と、複数の下り光源（Ｔｘ１〜Ｔｘｎ）３１３と、複数の上り光検出器（Ｒｘ１〜Ｒｘｎ）３１４と、第１多重化／逆多重化器３１１と、監視ユニット（監視手段）３２０と、第１波長選択反射フィルター３１５と、循環部３３０と、波長選択結合器３１２と、光分配器３１６とを備えている。
【００３５】
下り広帯域光源３１８は、既設定の広波長帯域λｋ（λｋ１〜λｋｎ）の下り光を生成し、下り光は、第１多重化／逆多重化器３１１で互いに異なる各々の波長を有する複数の下りチャンネル（λｋ１〜λｋｎ）に分割された後、対応する下り光源３１３を波長ロックさせるのに使用される。
【００３６】
上り広帯域光源３１７は、下り光の波長帯域λｋ（λｋ１〜λｋｎ）とは異なる波長帯域λｋ´（λｋ１´〜λｋｎ´）の上り光を生成し、上り光は、地域基地局４００で互いに異なる各々の波長を有する複数の上りチャンネル（λｋ１´〜λｋｎ´）に分割された後、対応する加入者装置５１０を波長ロックさせるのに使用される。
【００３７】
各下り光源３１３は、第１多重化／逆多重化器３１１で分割された下り光の下りチャンネルの中の対応する波長の下りチャンネルにより波長ロックされた下り光信号を生成し、下り光信号を第１多重化／逆多重化器３１１に出力する。各上り光検出期器３１４は、フォトダイオードなどのような受光素子が用いられ、第１多重化／逆多重化器３１１で逆多重化された対応する波長の上り光信号を検出する。
【００３８】
各下り光源３１３と各上り光検出器３１４は、対応する各波長選択結合器３１２により第１多重化／逆多重化器３１１と連結している。
【００３９】
第１多重化／逆多重化器３１１は、導波路回折格子（Ａｒｒａｙｅｄ  ｗａｖｅｇｕｉｄｅ  ｇｒａｔｉｎｇ）などを含むことができ、多重化された上り光信号を逆多重化し、下り光を各々の下りチャンネルに逆多重化する。また、第１多重化／逆多重化器３１１は下り光信号を多重化して出力する。
【００４０】
第１波長選択反射フィルター３１５は、光分配器３１６と連結している上り広帯域光源３１７と第１多重化／逆多重化器３１１との間に位置し、監視光（λｍ）のみを地域基地局４００に選択的に反射させる。
【００４１】
光分配器３１６は、第１光線路３０１上に位置し、上り広帯域光源及び下り広帯域光源３１７、３１８と連結し、下り光を第１波長選択反射フィルター３１５に出力し、上り光を地域基地局４００に出力する。
【００４２】
循環部３３０は、第１光線路３０１上に互いに対向するように配置された２つの波長分割多重化器３３１、３３２と、サーキュレータ３３３とを備えている。なお、本実施形態では、少なくとも２つ以上の波長分割多重化器を設けるように構成することが好ましい。
【００４３】
第１波長分割多重化器３３１は、多重化された下り光信号を第２波長分割多重化器３３２に出力し、第２波長分割多重化器３３２を介して入力された多重化された上り光信号は、光分配器３１６と第１波長選択反射フィルター３１５とを介して第１多重化／逆多重化器３１１に出力される。
【００４４】
第２波長分割多重化器３３２は、多重化された下り光信号を地域基地局４００に出力し、多重化された上り光信号を第１波長分割多重化器３３１に出力する。
【００４５】
第１及び第２波長分割多重化器３３１、３３２は、監視光を、サーキュレータ３３３を介して入出力させる。すなわち、サーキュレータ３３３を介して第１波長分割多重化器３３１に入力された監視光は、光分配器３１６を通して第１波長選択反射フィルター３１５に出力され、第１波長選択反射フィルター３１５で反射された監視光は、サーキュレータ３３３を介して第２波長分割多重化器３３２に出力される。  
【００４６】
第２波長分割多重化器３３２は、サーキュレータ３３３から入力された監視光を地域基地局４００に出力し、地域基地局４００で反射された監視光をサーキュレータ３３３に出力する。
【００４７】
サーキュレータ３３３は、監視ユニット（監視手段）３２０と第１及び第２波長分割多重化器３３１、３３２とに連結しており、第２波長分割多重化器３３２を通して入力された監視光と多重化された上り光信号の一部とを監視ユニット３２０に出力する。
【００４８】
監視ユニット３２０は、自然放出光源３２１と、光受信器３２２と、制御器３２５と、第１波長制御器３２４と、第２波長制御器３２３とを備えている。
【００４９】
自然放出光源３２１は、既設定の波長帯域（λｍ±△λ）の自然放出光を生成し、このような自然放出光は、監視光を含む。監視光を含む自然放出光は、循環部３３０を介して第１波長選択反射フィルター３１５に出力され、第１波長選択反射フィルター３１５は、監視光のみを地域基地局４００に反射させる。
【００５０】
光受信器３２２は、第２波長分割多重化器３３２から入力された監視光を電気信号に変換して制御器３２５に出力する。制御器３２５は、電気信号の受信可否及び強さの変化に基づいて第１及び第２光伝送路３０１、３０２の異常の有無、下り光信号及び上り光信号の波長帯域の変化を判別し、これを補償するための制御信号を生成し、生成された制御信号を第１及び第２波長制御器３２４、３２３の各々に出力する。
【００５１】
第１波長制御器３２４は、制御器３２５で生成された当該制御信号に基づいて第１多重化／逆多重化器３１１を制御し、第２波長制御器３２３は、制御器３２５で生成された対応する制御信号に基づいて第１波長選択反射フィルター３１５を制御する。具体的には、上記第１実施形態で述べたように、制御信号は、当該異常に対して波長を程度、どのよう方向へ移動させるべきかを含む情報であり、例えば、第１波長制御器３２４が、制御器３２５からの制御信号に基づいて第１多重化／逆多重化器３１１の波長帯域を調節し、第２波長制御器３２３が、第１波長制御器３２４により変化した波長帯域に応じて、て第１波長選択反射フィルター３１５によって反射させる波長を選択する制御を行う。
【００５２】
地域基地局４００は、第２多重化／逆多重化器４０１と、第２波長選択反射フィルター４０２とを含む。第２多重化／逆多重化器４０１は、中央基地局３１０から入力された上り光を互いに異なる波長を有する複数の上りチャンネルに分割した後、当該加入者装置５１０に出力し、多重化された下り光信号を多重化して当該加入者装置５１０に出力する。
【００５３】
また、第２多重化／逆多重化器４０１は、中央基地局３１０から入力された監視光を第２波長選択反射フィルター４０２に出力し、第２波長選択反射フィルター４０２で反射された監視光を中央基地局３１０に出力する。
【００５４】
第２波長選択反射フィルター４０２は、第２光線路３０２上の第２多重化／逆多重化器４０１と当該加入者５１０との間に配置され、対応する波長を有する監視光のみを第２多重化／逆多重化器４０１に反射させる。
【００５５】
各加入者装置５１０は、対応する下り光信号を検出するための下り光検出器（Ｒｘ１〜Ｒｘｎ）５１３と、地域基地局４００で逆多重化された対応する上りチャンネルにより波長ロックされた上り光信号を生成するための上り光源（Ｔｘ１〜Ｔｘｎ）５１２と、第２波長選択結合器５１１とを備えている。
【００５６】
また、下り光検出器５１３は、フォトダイオードなどを含むことができ、上り光源５１２は、ファブリーペローレーザーダイオードや半導体光増幅器などを含むことができる。第２波長選択結合器５１１は、下り光検出器５１３と上り光源５１２を、対応する第２光伝送路を介して地域基地局４００と連結させる。
【図面の簡単な説明】
【００５７】
【図１】本発明の第１実施形態における監視手段を含む受動型光加入者網の構成を示す図である。
【図２】本発明の第２実施形態における監視手段を含む受動型光加入者網の構成を示す図である。
【符号の説明】
【００５８】
１００        波長分割多重方式
１０１        第１光伝送路
１０２        第２光伝送路
１１０        中央基地局
１２０        監視手段（信号監視ユニット）
２００        地域基地局
２１０        加入者装置
【図１】
2006166446.tif 000003
【図２】
2006166446.tif 000004